(57)【特許請求の範囲】
【請求項１】
収納装置本体の上面にモニタ収納部を設け、このモニタ収納部内にモニタをその軸線を前方に向かって斜め上方に傾斜させて収納し、前記収納装置本体の前面に開口部を設け、この開口部内の両側に、スライド板を、このスライド板を前記モニタの軸線とほぼ平行に摺動させる第一の摺動手段を介して取付け、これらスライド板の間に、機器取付テーブルを、この機器取付テーブルを前記モニタの軸線とほぼ平行に摺動させる第二の摺動手段を介して取付けたことを特徴とする電子機器収納装置。
【請求項２】
前記第一の摺動手段を、前記スライド板に形成された前記モニタの軸線とほぼ平行な斜行孔部と、この斜行孔部の下端に連続して形成された保持孔部とから成る複数のスライド板摺動部と、これらスライド板摺動部に前記開口部内の両側に設けた係合ピンを摺動可能に係合させて構成し、前記第二の摺動手段を、前記スライド板に前記スライド板摺動部と平行に２つの長孔状の機器取付テーブル摺動部を形成し、これら機器取付テーブル摺動部の内の一方の上端に回動保持孔部を形成し、機器取付テーブルに前記機器取付テーブル摺動部に摺動可能に係合する係合ピンを設けて構成したことを特徴とする請求項１記載の電子機器収納装置。
【発明の詳細な説明】
【０００１】
【産業上の利用分野】
本発明は電子機器の収納装置に関するものであり、とくにキーボード等の操作部とモニタ等の表示部とに分離構成された電子機器を収納する電子機器収納装置に関するものである。
【０００２】
【従来の技術】
従来この種の電子機器収納装置の一例を図６に示す。図６において、電子機器収納装置３１の内部にはモニタ３２とキーボード３３から構成された電子機器３４が収納されている。
【０００３】
前記モニタ３２は収納装置本体３５の上部に形成されたモニタ収納部３６の内部に収納されており、また、前記キーボード３３は収納装置本体３５の内部に水平方向に摺動可能に取付けられ収納装置本体３５の前面に形成された開口部３５ａより出し入れ可能な機器取付テーブル３７に取付けられている。
【０００４】
上記構成の従来例にあっては、キーボード３３は未使用時に、収納装置本体３５の内部に収納することができ、キーボード３３の使用時にのみ機器取付テーブル３７を収納装置本体３５の前面より引き出すようにしており、キーボード３３の保護および電子機器収納装置３１自体の省スペース化を図っていた。
【０００５】
【発明が解決しようとする課題】
しかしながら上記従来例においては、モニタの視認性を向上させるために、モニタを収納装置本体の内部に傾斜させて収納してあり、このモニタの最下部は収納装置本体内部に突出している。一方で機器取付テーブルは、収納装置本体の内部に収納した際にモニタの最下部との干渉を防止するために、モニタの最下部より下に取付けて水平移動させている。このため、機器取付テーブルを収納装置本体の前面より引き出した時、この機器取付テーブルに取付けたキーボードと、モニタおよび作業面である収納装置本体の上面との段差が大きくなり、電子機器の操作性を悪化させていた。
【０００６】
本発明は、上記の問題点に着目して成されたものであって、その目的とするところは、収納装置本体の内部に効率良くキーボード等の操作部を収納することができ、操作部を使用状態にした時、作業面との段差を少なくすることができる電子機器収納装置を提供することにある。
【０００７】
【課題を解決するための手段】
上記の目的を達成するために本発明は、収納装置本体の上面にモニタ収納部を設け、このモニタ収納部内にモニタをその軸線を前方に向かって斜め上方に傾斜させて収納し、前記収納装置本体の前面上部に開口部を設け、この開口部内の両側に、スライド板を、これらスライド板を前記モニタの軸線とほぼ平行に摺動させる第一の摺動手段を介して取付け、このスライド板の間に、機器取付テーブルを、この機器取付テーブルを前記モニタの軸線とほぼ平行に摺動させる第二の摺動手段を介して取付けたことを特徴とする。
【０００８】
とくに本発明では、前記第一の摺動手段を、前記スライド板に形成された前記モニタの軸線とほぼ平行な斜行孔部と、この斜行孔部の下端に連続して形成された保持孔部とから成る複数のスライド板摺動部と、これらスライド板摺動部に前記開口部内の両側に設けた係合ピンを摺動可能に係合させて構成し、前記第二の摺動手段を、前記スライド板に前記スライド板摺動部と平行に２つの長孔状の機器取付テーブル摺動部を形成し、これら機器取付テーブル摺動部の内の一方の上端に回動保持孔部を形成し、機器取付テーブルに前記機器取付テーブル摺動部に摺動可能に係合する係合ピンを設けて構成した。
【０００９】
【作用】
かかる構成により、機器取り付けテーブルを手動により引き出すと、機器取り付けテーブルを前記収納装置本体に対し斜めに摺動させることができる。さらに引き出すとスライド板も前記収納装置本体に対し斜めに摺動するので、収納装置本体の上面の近傍に機器取付テーブルを位置させることができる。
【００１０】
また本発明では、前記スライド板に形成した２つの機器取付テーブル摺動部に、機器取付テーブルに設けた係合ピンを摺動可能に係合させたため、前記機器取付テーブルを傾斜させた状態で摺動させることができ、使用時には、前記回動保持孔部に沿って前記機器取付テーブルを回動させて水平に保持することができる。
【００１１】
【実施例】
以下、本発明に係わる電子機器収納装置について図面に基づき説明する。
【００１２】
図１は本発明に係わる電子機器収納装置の側面図であり、図２は同電子機器収納装置のスライド板と機器取付テーブルの取付状態を示す斜視図であるが、これらの図において電子機器収納装置１は、収納装置本体２と、この収納装置本体２の上面に一体に形成されたモニタ収納部３と、収納装置本体２の内部両側に摺動可能に取付けられた一対のスライド板４と、さらにこのスライド板４の間に摺動可能に取付けられた機器取付テーブル５とから構成されており、この機器取付テーブル５を収納装置本体２の前面に形成された開口部２ａより出入れ可能にしている。
【００１３】
前記モニタ収納部３はモニタ６の画面６ａの視認性を向上させるため、モニタ６の軸線イを傾斜させて収納している。このため、このモニタ６の下部は収納装置本体２の内部に突出している。
【００１４】
スライド板４には、図３に示すように、それぞれ一対のスライド板摺動部７ａ，７ｂ、機器取付テーブル摺動部８ａ，８ｂが形成されている。この内、スライド板摺動部７ａ，７ｂは、スライド板４を斜め方向に斜行させる斜行孔部９と、この斜行孔部９に連続して形成され且つスライド板４を上方に移動させた状態で保持する保持孔部１０とから構成されており、このスライド板摺動部７ａ，７ｂにはそれぞれ、収納装置本体２の内面に固着させた係合ピン１１，１２を摺動可能に係合させて第一の摺動手段１３を構成している。
【００１５】
また、機器取付テーブル摺動部８ａ，８ｂのうち機器取付テーブル摺動部８ａは機器取付テーブル５を斜め方向に移動させる斜行孔部１４のみで形成されており、機器取付テーブル摺動部８ｂは、斜行孔部１４とこの斜行孔部１４に連続し且つ機器取付テーブル５を回動させ、水平状態で保持する回動保持孔部１５とから形成されている。
【００１６】
前記、機器取付テーブル５は図４に示すように、キーボード１６を取付ける機器取付部１７と、この機器取付部１７の両端を屈曲させて形成した側板部１８を備え、この側板部１８の下側には、係合ピン取付部１９が突出形成してある。側板部１８には係合ピン２０を固着してあり、係合ピン取付部１９には係合ピン２１を固着してある。
【００１７】
そして、これら係合ピン２０，２１をそれぞれ機器取付テーブル摺動部８ａ，８ｂに摺動可能に係合させてあって、これらで第二の摺動手段２２を構成している。
【００１８】
次に上記の電子機器収納装置の実施例の動作を図５（１）乃至図５（４）に基づき説明する。キーボード１６を操作する場合には、このキーボード１６を取付けた機器取付テーブル５を手動により引き出す（図５（１）参照）。
【００１９】
機器取付テーブル５は係合ピン２０，２１を機器取付テーブル摺動部８ａ，８ｂの斜行孔部１４に沿わせ、傾斜した状態で斜め方向に摺動する。係合ピン２０，２１が機器取付テーブル摺動部８ａ，８ｂの斜行孔部１４の上端に当接すると次にスライド板４が摺動し始める（図５（２）参照）。
【００２０】
スライド板４は収納装置本体２に固定された二つの係合ピン１１，１２にスライド板摺動部７ａ，７ｂを摺動可能に保持されているため、スライド板５は最初にスライド板摺動部７ａ，７ｂの斜行孔部９の方向に斜めに移動する（図５（３）参照）。
【００２１】
さらに係合ピン１１，１２は斜行孔部９に続き、保持孔部１０内を摺動するので、スライド板５は水平方向に移動し、係合ピン１１，１２を保持孔部１０の終端に当接させて停止する。
【００２２】
次に、機器取付テーブル５を係合ピン２０を中心にして、係合ピン２１を回動部１５に沿わせて回動させ、係合ピン２１を回動部１５の下端に当接させる。この時、機器取付テーブル５は水平になり、機器取付テーブル５とキーボード１６の重みにより、係合ピン２０は機器取付テーブル摺動部８ａの上端に、係合ピン２１は機器取付テーブル摺動部８ｂの回動保持孔部１５の下端に圧接保持される。また、スライド板４の保持孔部１０においても係合ピン１１、１２を保持孔部１０の終端に圧接させており、機器取付テーブル５を使用状態で保持することができる（図５（４）参照）。
【００２３】
このため、上記実施例においては図５（４）に示すように、収納装置本体２の上面、すなわち作業面の近傍に機器取り付けテーブル５を位置させることができる。
【００２４】
また、機器取付テーブル５を収納する際には上記動作を逆に行えば良く、図５（１）に示すように、機器取付テーブル５を傾斜させた状態で収納装置本体２の内部に収納することができる。
【００２５】
なお、キーボード１６の使用が一時的な場合には図５（２）に示すように、係合ピン２０，２１が斜行孔部１４の上端に当接した時点で機器取付テーブル５を回動させても良く、素早く機器取付テーブル５を使用することができる。
【００２６】
【発明の効果】
以上説明したように、請求項１記載の発明では、機器取り付けテーブルを手動により引き出すと、機器取り付けテーブルを前記収納装置本体に対し斜めに摺動させることができる。さらに引き出すとスライド板も前記収納装置本体に対し斜めに摺動するので、収納装置本体の上面の近傍に機器取付テーブルを位置させることができる。すなわち、機器取付テーブルに取付けたキーボードを前記モニタや前記収納装置本体の作業面である収納装置本体の上面に近づけて操作することができるようになり、電子機器の操作性の低下を防止することができる。
【００２７】
また請求項２記載の発明では、前記スライド板に形成した２つの機器取付テーブル摺動部に、機器取付テーブルに設けた係合ピンを摺動可能に係合させたため、前記機器取付テーブルを傾斜させた状態で摺動させることができる。このため、前記機器取付テーブルを傾斜させた状態で前記収納装置本体の内部に収納させることができるようになる。またキーボード使用時には、前記回動保持孔部に沿って前記機器取付テーブルを回動させて水平に保持するので、前記キーボードの良好な使用状態を損なうこと無く、前記収納装置本体内部の限られた収納スペースを有効に活用することができる。
【図面の簡単な説明】
【図１】本発明に係わる電子機器収納装置の側面図
【図２】同電子機器収納装置のスライド板と機器取付テーブルの取付状態を示す斜視図
【図３】同電子機器収納装置のスライド板の側面図
【図４】同電子機器収納装置の機器取付テーブルの側面図
【図５】（１）同電子機器収納装置のスライド板と機器取付テーブルの収納状態を示す図
（２）同電子機器収納装置の機器取付テーブルの摺動状態を示す図
（３）同電子機器収納装置のスライド板の摺動状態を示す図
（４）同電子機器収納装置の機器取付テーブルの使用状態を示す図
【図６】従来の電子機器収納装置の側面図
【符号の説明】
２  収納装置本体
２ａ  開口部
３  モニタ収納部
４  スライド板
５  機器取付テーブル
６  モニタ
６ａ  画面
１３  第一の摺動手段
２２  第二の摺動手段
イ  モニタの軸線
【図１】
0003551504.tif 000002
【図２】
0003551504.tif 000003
【図３】
0003551504.tif 000004
【図４】
0003551504.tif 000005
【図５】
0003551504.tif 000006
【図６】
0003551504.tif 000007